(57)【要約】【課題】リールなどの一巻き分以下の光ファイバコードの余長を処理できる余長処理装置を提供する。【解決手段】一端が固定され、他端が光モジュール１４に接続される所定長の光ファイバコード１２の余長を処理する余長処理装置１０であって、一方の面に形成された略円柱状の固定用円柱部２ａを介して、枢軸となるねじ３へ回動自在に設置され、他方の面には、他端側の光ファイバコード１２を案内する略円柱状の光ファイバコードガイド２ｂが形成された略平棒状のアーム２と、ねじ３を枢軸としてねじ３へ回転自在に設置され、一端側の光ファイバコード１２を巻き取るリール４と、回動させたアーム２を任意の位置で保持するねじ６ｂとを有し、アーム２の回動に伴う光ファイバコードガイド２ｂの位置の変動に応じて、他端側の余長を処理する。【選択図】　　　　図１
2004037770.tif 000002
【特許請求の範囲】
【請求項１】
一端が固定され、他端が光モジュールに接続される所定長の光ファイバコードの余長を処理する余長処理装置であって、
一方の面に形成された略円柱状の肉厚部を介して、枢軸となる軸材へ回動自在に設置され、他方の面には、前記他端側の光ファイバコードを案内する略円柱状のガイド部が形成された略平棒状のアーム部材と、
前記軸材を枢軸として該軸材へ回転自在に設置され、前記一端側の光ファイバコードを巻き取るリール部材と、
回動させた前記アーム部材を任意の位置で保持する係止手段とを有し、
前記アーム部材の回動に伴う前記ガイド部材の位置の変動に応じて、前記他端側の余長を処理することを特徴とする余長処理装置。
【請求項２】
前記軸材が固定される略板状のカバー部材をさらに有し、
該カバー部材の装置の前側及び上側となる周縁には、立ち上がり部が形成され、
前記上側の立ち上がり部の上面には壁状の凸部が垂設され、
該凸部が備える穴部を介して光通信装置へ実装されることを特徴とする請求項１記載の余長処理装置。
【請求項３】
前記係止手段は、前記カバー前面の立ち上がり部に形成されたねじ穴へ螺着されたねじが前記肉厚部に圧接し、摩擦力によって前記アーム部材を任意の回動位置にて固定する構造であることを特徴とする請求項２記載の余長処理装置。
【請求項４】
一端が固定され、他端が光モジュールに接続される所定長の光ファイバコードの余長を処理する余長処理装置であって、
一方の面に形成された略歯車状の肉厚部を介して、枢軸となる軸材へ回動自在に設置され、他方の面には、前記他端側の光ファイバコードを案内する略円柱状のガイド部が形成されたアーム部材と、
前記固定された中心軸へ回転自在に設置され、前記一端側の光ファイバコードを巻き取るリール部材と、
回動させた前記アーム部材を任意の位置で保持する係止手段とを有し、
前記アーム部材の回動に伴う前記ガイド部材の位置の変動に応じて、前記他端側の余長を処理することを特徴とする余長処理装置。
【請求項５】
前記中心軸が固定される略板状のカバー部材をさらに有し、該カバー部材の装置前側及び上側となる周縁には、立ち上がり部が形成され、
前記上側の立ち上がり部の上面には壁状の凸部が垂設され、
該凸部が備える穴部を介して光通信装置へ実装されることを特徴とする請求項４記載の余長処理装置。
【請求項６】
前記係止手段は、前記カバー前面の立ち上がり部に形成された穴部に挿入され弾性部材によって前記肉厚部の方向へ弾発付勢されたピン材が、前記肉厚部に係合して前記アーム部材を任意の回動位置にて固定する構造であることを特徴とする請求項５記載の余長処理装置。
【請求項７】
前記リール部材の半径及び前記ガイド部材の半径が、それぞれ前記光ファイバコードの許容曲率半径よりも大きいことを特徴とする請求項１から６のいずれか１項記載の余長処理装置。
【請求項８】
前記リール部材の半径“ａ”、前記リール部材前記中心軸と前記ガイド部材の中心軸との間隔“ｂ”、及び、前記アーム部材の最大回動角度αの間に、ｂｓｉｎ（α／２）＞πａの関係が成り立つことを特徴とする請求項１から７のいずれか１項記載の余長処理装置。
【発明の詳細な説明】
【０００１】
【発明の属する技術分野】
本発明は、リールを用いて光ファイバコードの余長を処理する装置に関し、特に、リール一巻き分に満たない光ファイバコードの余長を処理できる光ファイバコードの余長処理装置に関する。
【０００２】
【従来の技術】
通常、光ケーブルは光通信装置の入り口に引き込まれて固定された後、その芯線が光ファイバコードに接続され、光ファイバコードが光通信装置内に配線される。
【０００３】
光ケーブルの芯線と光ファイバコードとの接続は、融着工事によって行われるが、装置内の光ファイバコードの長さは一定ではない。また、光ケーブルの芯線は、一般的には複数本存在するため、光ファイバコードの長さを装置内で必要な配線長にあわせて融着工事をすることは難しい。
さらに、メタリックコードの場合と異なり、光ファイバコードは任意の位置で切断／接続することは困難であるため、装置内のコード長を予め適正な長さとしておくことは難しい。
【０００４】
このため、光ファイバコードの長さは、設計長に多少の余裕を見込んだ長さとする必要がある。よって、光通信装置内では光ファイバコードの余長が発生するため、それを処理する（余長部分を弛みのない状態で保持する）ための「余長処理部」として余長処理装置が必要となる。
【０００５】
光ファイバコードは、最小曲げ半径（許容曲率半径）が決まっており、これを上回る曲率で湾曲させるとコードが折れて使用不能となってしまうため、余長処理部が占有するスペースは大きなものとなる。
また、作業性を向上させるためにも、余長処理部に割り当てるスペースに余裕を持たせる必要があり、光ファイバコードが折損しないように固定金具などを用いて固定していた。
【０００６】
近年、光通信装置において、光チャネルの増加や、装置の小型化、高密度実装化が進んでおり、光ケーブルを多数本収容する装置では、光ファイバコードの余長処理部が装置の大部分の領域を占めるようになっている。このため、光ファイバコードの余長処理部には、小型化及び作業性の良さが要求されている。
【０００７】
また、回線の切り替えは、光ファイバコードのコネクタの接続換えによって行われるが、光チャネルが増加するなどして回線数が増えると、接続替えのためのコネクタ数も増加し、着脱を行う頻度も高くなる。
【０００８】
【発明が解決しようとする課題】
このように、回線数が増加すると光ファイバコードやコネクタなどが多くの領域を占有してしまい、スペースが不足して作業性が悪化するため、余長処理部を小型化して、接続換え作業のための空間を確保する必要が出てくる。
これを解決するために「リール」や「ボビン」を使用した余長処理部が適用されているが、リールやボビンを用いても最後の一巻き分の長さの余長（すなわち、リールやボビン一周分以下の余長）は処理できない。よって、最長でリール（ボビン）一周分の長さの余長が発生するため、配線が煩雑となり、光ファイバコードを設置する作業の作業性を悪化させる。
【０００９】
この結果、どの光ファイバコードがどの光モジュールと接続されているか（又は、接続するべきか）を判断しにくくなる。例えば、移設工事などにおいて、該当する回線の光チャネルの光ファイバコードを識別できずに他のチャネルの光ファイバコードを外してしまうことや該当しない回線の光ファイバコードを誤って折損してしまうことがあった。
【００１０】
本発明はかかる問題に鑑みてなされたものであり、リールなどの一巻き分以下の光ファイバコードの余長を処理できる余長処理装置を提供することを目的とする。
【００１１】
【課題を解決するための手段】
上記目的を達成するため、本発明は、第１の態様として、一端が固定され、他端が光モジュールに接続される所定長の光ファイバコードの余長を処理する余長処理装置であって、一方の面に形成された略円柱状の肉厚部を介して、枢軸となる軸材へ回動自在に設置され、他方の面には、他端側の光ファイバコードを案内する略円柱状のガイド部が形成された略平棒状のアーム部材と、軸材を枢軸として該軸材へ回転自在に設置され、一端側の光ファイバコードを巻き取るリール部材と、回動させたアーム部材を任意の位置で保持する係止手段とを有し、アーム部材の回動に伴うガイド部材の位置の変動に応じて、他端側の余長を処理することを特徴とする余長処理装置を提供するものである。
【００１２】
上記本発明の第１の態様において、軸材が固定される略板状のカバー部材をさらに有し、該カバー部材の装置の前側及び上側となる周縁には、立ち上がり部が形成され、上側の立ち上がり部の上面には壁状の凸部が垂設され、該凸部が備える穴部を介して光通信装置へ実装されることが好ましい。また、係止手段は、カバー前面の立ち上がり部に形成されたねじ穴へ螺着されたねじが肉厚部に圧接し、摩擦力によってアーム部材を任意の回動位置にて固定する構造であることが好ましい。
【００１３】
また、上記目的を達成するため、本発明は、第２の態様として、一端が固定され、他端が光モジュールに接続される所定長の光ファイバコードの余長を処理する余長処理装置であって、一方の面に形成された略歯車状の肉厚部を介して、枢軸となる軸材へ回動自在に設置され、他方の面には、他端側の光ファイバコードを案内する略円柱状のガイド部が形成されたアーム部材と、固定された中心軸へ回転自在に設置され、一端側の光ファイバコードを巻き取るリール部材と、回動させたアーム部材を任意の位置で保持する係止手段とを有し、アーム部材の回動に伴うガイド部材の位置の変動に応じて、他端側の余長を処理することを特徴とする余長処理装置を提供するものである。
【００１４】
上記本発明の第２の態様において、中心軸が固定される略板状のカバー部材をさらに有し、該カバー部材の装置前側及び上側となる周縁には、立ち上がり部が形成され、上側の立ち上がり部の上面には壁状の凸部が垂設され、該凸部が備える穴部を介して光通信装置へ実装されることが好ましい。また、係止手段は、カバー前面の立ち上がり部に形成された穴部に挿入され弾性部材によって肉厚部の方向へ弾発付勢されたピン材が、肉厚部に係合してアーム部材を任意の回動位置にて固定する構造であることが好ましい。
【００１５】
上記本発明のいずれの態様においても、リール部材の半径及びガイド部材の半径が、それぞれ光ファイバコードの許容曲率半径よりも大きいことが好ましい。また、リール部材の半径“ａ”、リール部材中心軸とガイド部材の中心軸との間隔“ｂ”、及び、アーム部材の最大回動角度αの間に、ｂｓｉｎ（α／２）＞πａの関係が成り立つことが好ましい。
【００１６】
【発明の実施の形態】
〔第１の実施形態〕
本発明を好適に実施した第１の実施形態について説明する。
図１に、本実施形態に係る余長処理装置を適用した光通信装置を示す。（ａ）は装置の正面図、（ｂ）は装置左側面図である。
光通信装置１５は、余長処理装置１０、光ケーブル１１（１１ａ〜１１ｄ）、光ファイバコード１２（１２ａ〜１２ｄ）、光ケーブル固定用金具１３（１３ａ〜１３ｄ）、光モジュール１４（１４ａ〜１４ｄ）及び光コネクタ１６（１６ａ〜１６ｄ）を有する。
余長処理装置１０は、光ファイバコード１２の余長を弛みが無くなるように保持するための装置である。光ケーブル１１は、各光モジュール１４に対応したケーブルであり、それぞれは光ケーブル固定用金具１３によって、光通信装置１５に固定される。光ケーブル１１は、光ファイバコード１２に接続され、余長処理装置１０において余長が処理された後に、光モジュール１４へ光コネクタ１６を介して接続される。
なお、余長処理装置１０は、光通信装置１５の余長処理部２０へ実装される。
【００１７】
図２に、余長処理装置１０の分解斜視図を示す。余長処理装置１０は、カバー１、アーム２、ねじ３、リール４、ワッシャ５、ねじ６ａ、ねじ６ｂを有する。カバー１は、余長処理装置１０を光通信装置１５へ取り付けるための部材である。アーム２は、光ファイバコード１２の余長処理量を調整するための略平棒状の部材であり、リール４が取り付けられる位置の裏側には、ねじ３を配置するための貫通穴を中心軸として固定用円柱部２が形成されている。また、アーム２のリール４が配置される側の面には、リール４と所定の間隔を隔てて略円柱状を呈した光ファイバコードガイド２ｂが形成されている。光ファイバコードガイド２ｂの半径寸法は、光ファイバコード１２の最小曲げ寸法よりも大きな値である。ねじ３は、アーム２を回動自在に、リール４を回転自在にカバー１へ取り付けるための部材である。リール４は、光ファイバコード１２を巻き取って収容する部材であり、ねじ３、ワッシャ５及びアーム２を介して、カバー１に配置されたねじ穴１ｃに取り付けられる。なお、リール４は、ねじ３を枢軸として回転自在になっている。また、その半径寸法は、光ファイバコード１２の最小曲げ半径よりも大きな値である。ワッシャ５は、ねじ３を締結した状態でもリール４がスムーズに回転するように、リール４のねじ３との接触部に配置されている。ねじ６ａは、余長処理装置１０を光通信装置１５の余長処理部２０へ取り付けるための部材である。なお、光通信装置１５への取り付けは、ねじ６ａを、ねじ穴１ａを通して光通信装置１５の所定位置に形成されたねじ穴に螺着することによって行う。ねじ６ｂは、アーム２を固定するための部材である。
【００１８】
上記構成において、アーム２は、ねじ３を枢軸として回動自在であるが、ねじ６ｂを締結して固定用円柱部２ａを圧迫することによって任意の位置に固定できる。換言すると、ねじ６ｂを弛めた状態で余長処理部材２を回転させ、余長処理量が適正な位置でねじ６ｂを締結することによって余長処理量の調整を行える。
【００１９】
図３に示すように、リール４の半径をａ、リール４の枢軸（ねじ３）と光ファイバコードガイド２ｂとの中心軸との間隔をｂとした場合、アーム２を光通信装置１５の奥側へα（°）押し込んだときの光ファイバコードガイド２ｂの位置の変位は、２ｂｓｉｎ（α／２）で近似できる。よって、アーム２の最大押し込み角度がαｍａｘで示される場合は、ｂｓｉｎ（αｍａｘ／２）＞πａであれば、リール４の一巻き分以下の余長を完全に処理できるため、この条件を満たすように各部材の寸法を設定することが好ましい。
【００２０】
余長処理装置１０の動作を図４から図７を用いて説明する。これらの図は、余長処理部２０を簡略化して示した図であり、光通信装置１５の内部を装置側面を視点として示している。なお、光コネクタ１６近傍に形成されたガイド部１７は、余長処理の際に、光ファイバコード１２が最小曲げ半径以上の曲率で曲がらないように保護する部材である。
【００２１】
光ケーブル１１は光通信装置１５の上部で固定され、その芯線は、光ファイバコード１２に変換されて装置内に配線される。まず図４に示すように、光通信装置１５の外部においてリール４に光ファイバコード１２を巻き取り、光ファイバコードの１２の余長をリール４の一巻き分以下とする。その後、光ファイバコード１２の光コネクタ１６側の部分を光ファイバコードガイド２ｂに引っかける。
【００２２】
次に、光通信装置１５の余長処理部２０に余長処理装置１０を配置し、これをねじ６ａを用いて光通信装置１５に固定する。この時、リール４を回して光ケーブル１１側の光ファイバコード１２を巻き取ることで、光ケーブル１１側の余長を処理する。
【００２３】
その後、図５に示すように、光コネクタ１６を光モジュール１４へ接続する。次に、図６に示すようにアーム２を光通信装置１５の奥側に回動させて、光コネクタ１６側の光ファイコード１２の余長を処理する。余長処理量の調整が終了した後、図７に示すように、ねじ６ｂを締結して余長処理量が適正な位置でアーム２を固定する。
【００２４】
上記手順によって、リール４の一周分以下の余長を処理し、光ファイバケーブル１２を整然と収納することが可能となる。
なお、コネクタの接続換えなどを行う際には、逆手順を行うことで、光ファイバコード１２の余長を復元できるため、接続換え作業の作業性を向上させることが可能である。
【００２５】
このように、本実施形態による余長処理装置１０は、光通信装置１５の各光モジュール１４・光コネクタ１６のそれぞれに対応させて設置できるため、保守点検や移設工事の作業性を向上できる。
また、余長処理の際に、リール４一巻き分以上の余長は、光通信装置１５の外において光ファイバコード１２をリール４へ巻き取ることで処理することが可能であり、アーム２を押し込んだ上でねじ６ｂをネジ止することで行うリール４一巻き分以下の余長処理は、光通信装置１５に実装したまま行えるため作業性が良い。
よって、全ての光ファイバコード１２の余長を最適に処理できるため、光通信装置１５内の光ファイバコード１２を整然と配線できる。
【００２６】
〔第２の実施形態〕
本発明を好適に実施した第２の実施形態について説明する。本実施形態に係る余長処理装置を適用した光通信装置１５は、図１に示した第１の実施形態のものと同様である。
【００２７】
本実施形態による余長処理装置１０は、図２に示した第２の実施形態のものと同様であるが、アーム２には、固定用円柱部２ａの代わりに断面視略爪車状のラチェット部２ｃが形成されている。また、ねじ６ｂの代わりに、ピン６ｃ及びスプリング７を有する。
スプリング７は、ピン６ｃの大径部とカバー１との間に介在しており、ピン６ｃをラチェット部２ｃ側に弾発付勢している。なお、ラチェット部２ｃがピン６ｃを押し上げることができる回転方向を順方向、ラチェット部２ｃピン６ｃを押し上げることができない回転方向を逆方向と定義する。なお、ラチェット部２ｃは、ピッチが小さいほどアーム２の回動角度を細かく調整できるため、できる限り小さいピッチで形成することが好ましい。
【００２８】
本実施形態による余長処理装置１０の動作について説明する。余長処理装置１０を用いて余長処理を行う場合、第１の実施形態と同様に、光通信装置１５の外部で光ファイバコード１２をリール４に巻き取り、光ファイバコード１２を光ファイバコードガイド２ｂに引っかける。
その後、余長処理装置１０を光通信装置１５の余長処理部２０へ配置し、ねじ６ａを用いて余長処理装置１０を光通信装置１５に固定する。
この時、リール４を回して、光ケーブル１１側の光ファイバコード１２を巻き取り、余長を処理する。
【００２９】
その後、光コネクタ１６を光モジュール１４へ接続してから、アーム２を光通信装置１５の奥側に押し込んで、光コネクタ１６側の余長を処理する。図８に示すように、この時アーム２が回動する方向は順方向であるため、ピン６ｃを引き出す必要がない。
余長処理量が適正となった位置で、アーム２の押し込みを停止すると、ピン６ｃはスプリング７の弾性力によって、ラチェット部２ｃに接した状態に配置される。アーム２作用する重力は、ラチェット部２ｃを逆方向に回転させる力として働くため、アーム２は、適正な余長処理量となる位置に保持される。
【００３０】
なお、コネクタの接続換えなどを行う際には、図９に示すようにピン６ｃを引き出したうえで、アーム２を逆方向に回動さればよい。これにより、光ファイバコード１２の余長を復元できるため、接続換え作業の作業性を向上させることが可能である。
【００３１】
このように、本実施形態による余長処理装器１０は、光通信装置１５の各光モジュール１４・光コネクタ１６のそれぞれに対して設置できるため、保守点検や移設工事の作業性を向上できる。
また、余長処理の際に、リール４一巻き分以上の余長は、光通信装置１５の外において光ファイバコード１２をリール４へ巻き取ることで処理することが可能であり、アーム２を押し込んだ上でねじ６ｂをネジ止することで行うリール４一巻き分以下の余長処理は、光通信装置１５に実装したまま行えるため作業性が良い。
よって、全ての光ファイバコード１２の余長を最適に処理できるため、光通信装置１５内の光ファイバコード１２を整然と配線できる。
【００３２】
なお、上記各実施形態は本発明の好適な実施の一例であり、本発明はこれらに限定されるものではない。
例えば、各部材の形状や個数は、図示したものに限定されるものではなく、適宜変更することができる。
また、アーム２の枢軸とリール４の枢軸とは必ずしも一致していなくても、上記実施形態と同様の効果が得られる。
さらに、図１０に示すように、アームの２を９０°以上光通信装置１５奥側へ押し込める構成としても構わない。
このように、本発明は様々な変形が可能である。
【００３３】
【発明の効果】
以上の説明によって明らかなように、本発明によれば、リール一巻き分以下の光ファイバコードの余長を処理できる余長処理装置を提供できる。
また、本発明による余長処理装置は、余長処理に大きなスペースを必要としない。このため、
▲１▼従来の余長処理装置では光ファイバコードを引き込むことができなかったスペースに光ファイバコードを配線できる。
▲２▼光ファイバケーブルを複数本引き込む装置では、光チャネルの実装数を増やすことができる。
▲３▼従来技術による余長処理装置よりも小型の装置で、同じ数の光ファイバコードを引き込むことができる。
という効果が得られる。
【図面の簡単な説明】
【図１】本発明を好適に実施した第１の実施形態に係る余長処理装置を適用した光通信装置の構成を示す図である。
【図２】第１の実施形態に係る余長処理装置の分解斜視図である。
【図３】アームの回動角度と余長処理量との関係を示すである。
【図４】第１の実施形態に係る余長処理装置を用いた余長処理の手順を説明するための図である。
【図５】第１の実施形態に係る余長処理装置を用いた余長処理の手順を説明するための図である。
【図６】第１の実施形態に係る余長処理装置を用いた余長処理の手順を説明するための図である。
【図７】第１の実施形態に係る余長処理装置を用いた余長処理の手順を説明するための図である。
【図８】本発明を好適に実施した第２の実施形態に係る余長処理装置の要部を示す図である。
【図９】第２の実施形態に係る余長処理装置の要部を示す図である。
【図１０】本発明による余長処理装置の変形例を示す図である。
【符号の説明】
１　カバー
２　アーム
３　ねじ
４　リール
５　ワッシャ
７　スプリング
１０　余長処理装置
１１、１１ａ、１１ｂ、１１ｃ、１１ｄ　光ケーブル
１２、１２ａ、１２ｂ、１２ｃ、１２ｄ　光ファイバコード
１３、１３ａ、１３ｂ、１３ｃ、１３ｄ　固定用金具
１４、１４ａ、１４ｂ、１４ｃ、１４ｄ　光モジュール
１５　光通信装置
１６、１６ａ、１６ｂ、１６ｃ、１６ｄ　光コネクタ
１７　ガイド部材
２０　余長処理部
【図１】
2004037770.tif 000003
【図２】
2004037770.tif 000004
【図３】
2004037770.tif 000005
【図４】
2004037770.tif 000006
【図５】
2004037770.tif 000007
【図６】
2004037770.tif 000008
【図７】
2004037770.tif 000009
【図８】
2004037770.tif 000010
【図９】
2004037770.tif 000011
【図１０】
2004037770.tif 000012